(57)【要約】【課題】  規定幅以下の幅のカードの誤挿入を確実に防止できるカード用電気コネクタ装置を提供することを目的とする。【解決手段】  ストッパ部材２０Ａ，２０Ｂは、シャッタ部材１３とは独立して上記閉位置と開位置との間を回動自在に設けられており、挿入時の規定幅のカードの両端部に対応する位置に形成された当接部２２Ａ，２２Ｂとシャッタ部材１３の後面側に形成された係止部２３Ａ，２３Ｂとを有し、該ストッパ部材２０Ａ，２０Ｂは上記開位置から閉位置へ回動する際には付勢部材２６Ａ，２６Ｂにより閉位置に向けた付勢力が与えられ、規定幅のカードが開口４へ挿入されたときに、該カードＣ１が両端部の前端面で両方の当接部２２Ａ，２２Ｂを押すことにより、上記付勢力に抗して、上記係止部２３Ａ，２３Ｂがシャッタ部材１３の開位置への回動を許容する位置へ移動するようになっている。【選択図】  図１
2006066310.tif 000002
【特許請求の範囲】
【請求項１】
規定幅のカードの挿抜のための開口に対しカード挿入方向である前方へ延びるカード受入空間が形成され、該カード受入空間の前方奥部にカードとの接続のためのコネクタが設けられ、上記開口近傍に、カード挿入時にカードの前端面に押されて、カードの幅方向に延びる回動軸線まわりに閉位置から開位置へ向け回動するシャッタ部材と、カードが上記規定幅よりも小さい場合に上記シャッタ部材の開位置への回動を阻止するストッパ部材とを備えるカード用電気コネクタ装置において、ストッパ部材は、シャッタ部材とは独立して上記閉位置と開位置との間を回動自在に設けられており、挿入時の規定幅のカードの両端部に対応する位置に形成された当接部とシャッタ部材の後面側に形成された係止部とを有し、該ストッパ部材は上記開位置から閉位置へ回動する際には付勢部材により閉位置に向けた付勢力が与えられ、規定幅のカードが上記開口へ挿入されたときに、該カードが両端部の前端面で両方の当接部を押すことにより、上記付勢力に抗して、上記係止部がシャッタ部材の開位置への回動を許容する位置へ移動するようになっていることを特徴とするカード用電気コネクタ装置。
【請求項２】
ストッパ部材は、閉位置におけるシャッタ部材の幅方向の両端近傍の空間で前後に延びる中間部を有し、該中間部の前部側から上記幅方向で外方へ延びて当接部が設けられ、上記中間部の後部側から上記幅方向で内方に延びてシャッタ部材の後面と当接可能な位置に係止部が設けられ、カード挿入用の開口が形成されている部材によりストッパ部材が回動軸線まわりに回動可能に支持されていることとする請求項１に記載のカード用電気コネクタ装置。
【請求項３】
ストッパ部材は金属板をその板面に対しクランク状に屈曲成形されて作られており、当接部はカード前端面とそして係止部はシャッタ部材の後面と、それぞれ板面で接触するようになっていることとする請求項１又は請求項２に記載のカード用電気コネクタ装置。
【請求項４】
シャッタ部材は幅方向両端部に切欠部が形成されており、ストッパ部材の中間部が上記切欠部内で前後に延びていることとする請求項１ないし請求項３のうちの一つに記載のカード用電気コネクタ装置。  
【請求項５】
シャッタ部材は、閉位置における該シャッタ部材の後面側に、ストッパ部材の係止部に近接する突部又は段部を有し、カード前端面によりストッパ部材の当接部が押されることなくシャッタ部材が押されたときに、シャッタ部材の開方向への回動開始時に上記突部又は段部がストッパ部材の係止部に圧接して該係止部の位置を固定するようになっていることとする請求項１ないし請求項４のうちの一つに記載のカード用電気コネクタ装置。
【請求項６】
突部はストッパ部材の係止部の一部を収容可能な溝部が形成され、ストッパ部材が押されないでシャッタ部材が押された場合には、該溝部で係止部と当接して該係止部の位置を固定することとする請求項５に記載のカード用電気コネクタ装置。
【請求項７】
シャッタ部材は、閉位置における該シャッタ部材の後面側に、ストッパ部材の係止部を収容する凹部が形成され、カード前端面によりストッパ部材の当接部が押されることなくシャッタ部材が押されたときに、シャッタ部材の開方向への回動開始時に上記凹部内面がストッパ部材の係止部に圧接して該係止部の位置を固定するようになっていることとする請求項１ないし請求項４のうちの一つに記載のカード用電気コネクタ装置。
【請求項８】
ストッパ部材の回動軸線は、カード面に平行な面に対し直角、もしくはシャッタ部材の回動軸線と平行であることとする請求項１ないし請求項７のうちの一つに記載のカード用電気コネクタ装置。
【発明の詳細な説明】
【技術分野】
【０００１】
本発明はカード用電気コネクタ装置、特にカード挿抜のための開口に開閉自在なシャッタ部材を備えるコネクタ装置に関する。
【背景技術】
【０００２】
シャッタ部材を備えるコネクタ装置において、規定幅のカードの挿抜のための開口に対しては、上記規定幅よりも大きな幅のカードは、物理的に挿入不可であるが、小さな幅のカードは誤って挿入してしまう可能性がある。
【０００３】
この誤挿入を防止するための機構が、特許文献１に開示されている。
【０００４】
この特許文献１にあっては、カード挿入用のケースの開口に設けられたシャッタ部材たるドア本体は、カードの幅方向、すなわち上記開口の幅方向に延びる軸線まわりに回動して開閉自在となっている。上記ドア本体には、二つの窓部が形成されていて、ドアロック部材がそれぞれの窓部に位置するように該ドア本体に回動可能に支持されている。このドアロック部材は、ドア本体に対し前方へ被押圧腕部がそして後方へロック腕部が延出していて、捩りばねによりロック腕部の先端が、上記ケース内に設けられた固定腕部に圧せられ、被押圧腕部が他部材よりもカード挿入方向で手前に位置している。二つの窓部に設けられたそれぞれの被押圧腕部は、規定幅のカードの幅方向両端近傍に対応して位置している。
【０００５】
この特許文献１にあっては、規定幅のカードはその両端前端面で両方のドアロック部材の被押圧腕部を押すことにより、上記ロック腕部を固定突起との係合から解放し、ドア本体が開方向に回動してカードの挿入を可能とする。
【０００６】
規定幅よりも小さい幅のカードの場合は、カードは両方の被押圧腕部を同時に押すことができず、少なくとも一方のドアロック部材のロック腕部が固定突起と係止したままとなるので、ドア本体は開かない。
【特許文献１】特開２００１−６７４４１
【発明の開示】
【発明が解決しようとする課題】
【０００７】
特許文献１の構造にあっては、固定突起がケース内に設けられている必要がある。このケースには、カードが挿入されるため、挿入時にカード前端が固定突起に衝突する危険性がある。また、この固定突起がカードの前端と衝突しないことを確実とするには、固定突起の位置が限定されて設計上の制約となるし、又、周辺の構造も複雑となる。その結果、部品点数の増加にもつながる。
【０００８】
このシャッタ部材たるドア本体自体は、カードの厚みと大差ないものなので、その狭い寸法範囲にドアロック部材とそのための部品を組み込むことは、設計上そして組立作業上、困難を伴う。又、ドア本体は、上記の狭い寸法範囲に対して大きな部分を占めるように窓部を二つも形成するので、ドア本体の強度低下にもつながる。
【０００９】
本発明は、かかる事情に鑑み、簡単な機構でシャッタ部材の強度低下を伴わずに、誤挿入防止を図れるカード用電気コネクタ装置を提供することを目的とする。
【課題を解決するための手段】
【００１０】
本発明に係るカード用電気コネクタ装置は、規定幅のカードの挿抜のための開口に対しカード挿入方向である前方へ延びるカード受入空間が形成され、該カード受入空間の前方奥部にカードとの接続のためのコネクタが設けられ、上記開口近傍に、カード挿入時にカードの前端面に押されて、カードの幅方向に延びる回動軸線まわりに閉位置から開位置へ向け回動するシャッタ部材と、カードが上記規定幅よりも小さい場合に上記シャッタ部材の開位置への回動を阻止するストッパ部材とを備えている。
【００１１】
かかるカード用電気コネクタ装置において、本発明では、ストッパ部材は、シャッタ部材とは独立して上記閉位置と開位置との間を回動自在に設けられており、挿入時の規定幅のカードの両端部に対応する位置に形成された当接部とシャッタ部材の後面側に形成された係止部とを有し、該ストッパ部材は上記開位置から閉位置へ回動する際には付勢部材により閉位置に向けた付勢力が与えられ、規定幅のカードが上記開口へ挿入されたときに、該カードが両端部の前端面で両方の当接部を押すことにより、上記付勢力に抗して、上記係止部がシャッタ部材の開位置への回動を許容する位置へ移動するようになっていることを特徴としている。
【００１２】
このような構成の本発明装置では、規定幅のカードが上記開口へ挿入されようとするときには、該カードの前端面が該カードの幅方向の二位置に設けられたストッパ部材の当接部の両方を押すこととなり、両ストッパ部材が付勢力に抗してその係止部をシャッタ部材の後面から外れた位置へ移動せしめる。その結果、シャッタ部材を閉位置に留めておくものがなくなり、シャッタ部材はカードに押されて開位置へ回動する。
【００１３】
これに対し、カードが規定幅よりも小さいときには、両ストッパの当接部を同時に押すことができず、押される場合でも、押される当接部は一方のストッパについてのみである。換言すれば、他方のストッパはその係止部がシャッタ部材の後面側にあって、シャッタ部材の開位置への回動を許容しない。
【００１４】
このようにして、本発明では規定幅のカードのみが挿入可能となる。なお、規定幅以上のカードは、両当接部を押すことができるが、開口よりも幅が大きいため、もともと寸法的に挿入できない。
【００１５】
本発明において、ストッパ部材は、閉位置におけるシャッタ部材の幅方向の両端近傍の空間で前後に延びる中間部を有し、該中間部の前部側から上記幅方向で外方へ延びて当接部が設けられ、上記中間部の後部側から上記幅方向で内方に延びてシャッタ部材の後面と当接可能な位置に係止部が設けられ、カード挿入用の開口が形成されている部材によりストッパ部材が回動軸線まわりに回動可能に支持されているように形成できる。かかるストッパ部材では、シャッタ部材の幅方向両端と該シャッタ部材の支持のための部材との間に少しの間隔があれば、上記中間部がここを前後に通るように配されるので、シャッタ部材を大きく切り欠くことのない設計も可能となる。
【００１６】
例えば、ストッパ部材は金属板をその板面に対しクランク状に屈曲成形されて作られており、当接部はカード前端面とそして係止部はシャッタ部材の後面と、それぞれ板面で接触するようにすることもでき、この場合には、上記中間部を通すためのシャッタ部材とその支持のための部材との間隔が上記中間部を形成している金属板の板厚よりも若干大きい寸法でよいこととなる。
【００１７】
また、ストッパ部材の形態によっては、シャッタ部材は幅方向両端部に切欠部が形成されており、ストッパ部材の中間部が上記切欠部内で前後に延びているようにして対応できる。  
【００１８】
本発明において、シャッタ部材は、閉位置における該シャッタ部材の後面側に、ストッパ部材の係止部に近接する突部又は段部を有し、カード前端面によりストッパ部材の当接部が押されることなくシャッタ部材が押されたときに、シャッタ部材の開方向への回動開始時に上記突部又は段部がストッパ部材の係止部に圧接して該係止部の位置を固定するようになっているようにすることができる。こうすることにより、カード誤挿入時に、シャッタ部材はその突部又は段部にてストッパ部材と係止してストッパ部材を閉位置でロックするように一体化し、シャッタ部材に多少過大な力が作用してもこの閉位置の維持は強固になり、又、構造上も補強されることとなる。
【００１９】
さらには、上記突部はストッパ部材の係止部の一部を収容可能な溝部が形成され、ストッパ部材が押されないでシャッタ部材が押された場合には、該溝部で係止部と当接して該係止部の位置を固定するようにしてもよい。
【００２０】
又、上記閉位置の維持強化のためには、シャッタ部材は、閉位置における該シャッタ部材の後面側に、ストッパ部材の係止部を収容する凹部が形成され、カード前端面によりストッパ部材の当接部が押されることなくシャッタ部材が押されたときに、シャッタ部材の開方向への回動開始時に上記凹部内面がストッパ部材の係止部に圧接して該係止部の位置を固定するようになっているようにすることもできる。
【００２１】
本発明において、ストッパ部材の回動軸線は、カード面に平行な面に対し直角であっても、シャッタ部材の回動軸線と平行であってもよい。
【発明の効果】
【００２２】
本発明は、以上のように、シャッタ部材とストッパ部材とを独立して設けることとしたので、該ストッパ部材の当接部と一体的に設けられた係止部により簡単かつ確実にシャッタ部材に対する開方向移動阻止そしてその解除を行うことができる。
【発明を実施するための最良の形態】
【００２３】
以下、添付図面にもとづき、本発明の実施の形態を説明する。
【００２４】
＜第一実施形態＞
図１は、本実施形態装置を構成する部材を分離した状態で示す斜視図であり、カードが挿入されるべきケース側から挿入前のカードを見る方向で描かれている。図２は上記部材が組み立てられた本実施形態装置をカード挿入前の状態で上方から見た平面図であり、図３は図２のシャッタ部材とストッパ部材とを側方から見た図である。
【００２５】
図において、符号１は規定幅ｄ１のカードＣ１が矢印Ａ方向から挿入されるケースであり、その挿入方向先方奥部には該カードＣ１が接続されるべきコネクタ（図示せず）が配設されている。
【００２６】
上記ケース１は、電子機器の筐体２に取りつけられている。該筐体２はその一部をなす前面パネル３に窓状の開口４が形成されている。この開口４は上記規定幅ｄ１のカードＣ１のＡ方向での挿入に適合した寸法となっている。
【００２７】
上記開口４の下縁には、上記前面パネル３の後面側に突出せるガイドフランジ５が上記開口４の幅方向に延びるように設けられており、カードＣ１の挿入の際に、該ガイドフランジ５の上面６で該カードＣ１の下面をガイドすると共に後縁７で後述のシャッタ部材と当接する。該ガイドフランジ５は上記開口４よりも幅方向に外側まで延びていて、その両方の端部に小孔５Ａ，５Ｂが上下に貫通して形成されている。これに対応して、上記小孔５Ａ，５Ｂの上方で開口４の上縁よりも若干上方位置に、水平面をも小さな横突片８Ａ，８Ｂが上記前面パネル３の後面側に設けられており、ここにも上下方向に貫通する小孔９Ａ，９Ｂが形成されている。この小孔９Ａ；９Ｂと上記小孔５Ａ；５Ｂとは、それぞれ縦方向に延びる一つの共通軸線上に位置する。又、二つ設けられた上記横突片８Ａ，８Ｂには、小孔９Ｂの他にさらに小さな係止孔１０Ａ，１０Ｂも形成されている。
【００２８】
上記開口４の幅方向両端寄りの位置に設けられた上記横突片８Ａ，８Ｂの近傍に、縦方向面をもつ縦突片１１Ａ，１１Ｂが設けられ、該縦突片１１Ａ，１１Ｂには軸支孔１２Ａ，１２Ｂが形成されている。又、二つの縦突片１１Ａ，１１Ｂのうち図１にて左方に位置する一方の縦突片１１Ｂには小さな係止孔１３Ｂも形成されている。
【００２９】
上記二つの縦突片１１Ａ，１１Ｂに形成された軸支孔１２Ａ，１２Ｂでは、シャッタ部材１３が回動自在に支持されている。このシャッタ部材１３は、横方向に延びる軸部１４と、該軸部１４から下方に延びる板状のシャッタ部１５とを一体に有している。上記軸部１４は、上記二つの縦突片１１Ａ，１１Ｂ同士間の距離よりも長く、両端寄りにはフランジ部１６Ａ，１６Ｂが設けられている。上記軸部１４は、これらの二つのフランジ部１６Ａ，１６Ｂよりも軸方向外側部分で、上記縦突片１１Ａ，１１Ｂの軸支孔１２Ａ，１２Ｂにより軸まわりに回転可能に支持される。一方のフランジ部１６Ａは、対応する縦突片１１Ａに当接するが、他方のフランジ１６Ｂと対応する縦突片１１Ｂとの間には軸部１４上で圧縮捩りばね１７が介在する。該ばね１７は、その一端１７Ａが縦突片１１Ｂの係止孔１３Ｂにそして他端１７Ｂがフランジ１６Ｂ近傍で上記シャッタ部１５に係止している。かくして、ばね１７はシャッタ部材１３を軸部１４の軸線まわりに上記前面パネル３の上記ガイドフランジ５の後縁７に向けて付勢すると共に、右方のフランジ部１６Ａを対応縦突片１１Ａへ当接せしめるように付勢する（図２をも参照）。
【００３０】
上記軸部１４と一体に形成された板状のシャッタ部１５は、上記二つのフランジ部１６Ａ，１６Ｂの間のほぼ全域にわたるような幅を有しているが、両端部で切欠部１８Ａ，１８Ｂが形成されている。本例では、右方の切欠部１８Ａの方が左方の切欠部１８Ｂよりも上記幅方向で大きくなっている。かかる切欠部１８Ａ，１８Ｂは、幅方向で上記開口４の側端縁４Ａ，４Ｂとの間に隙間を形成する。又、シャッタ部１５の後面には、上記切欠部１８Ａ，１８Ｂに隣接した位置に四角形をなす突部１９Ａ，１９Ｂが設けられている。
【００３１】
上記開口４の幅方向両側で上下に位置する上記小孔５Ａ，９Ａそして５Ｂ，９Ｂには、ストッパ部材２０Ａ，２０Ｂが回動可能に支持されている。ストッパ部材２０Ａ，２０Ｂは上記幅方向で対称な形をなしており、金属板をその板厚方向で概ねクランク上に屈曲されている。
【００３２】
ストッパ部材２０Ａ，２０Ｂは、中間部２１Ａ，２１Ｂの前後で該中間部２１Ａ，２１Ｂに対して直角に屈曲されていて、その前部には幅方向外側に延びる当接部２２Ａ，２２Ｂ、後部には内側に延びる係止部２３Ａ，２３Ｂが設けられている。このストッパ部材２０Ａ，２０Ｂは、上記当接部２２Ａ，２２Ｂの端縁から上下に延びるピン状の軸部２４Ａ，２５Ａ；２４Ｂ，２５Ｂを有しており、これらの軸部２４Ａ，２５Ａが前面パネル３の後面側の小孔９Ａ，５Ａそして軸部２４Ｂ，２５Ｂが小孔９Ｂ，５Ｂにそれぞれ遊嵌され回動自在に支持される。上記軸部２４Ａ，２４Ｂには、捩りばね２６Ａ，２６Ｂが嵌められ、これらのばね２６Ａ，２６Ｂの上端部２７Ａ，２７Ｂが小孔１０Ａ，１０Ｂに係止し、下端部２８Ａ，２８Ｂが当接部２２Ａ，２２Ｂに係止している。
【００３３】
上記軸部２４Ａ，２５Ａそして２４Ｂ，２５Ｂが小孔９Ａ，９Ｂそして５Ａ，５Ｂで支持されると、ストッパ部材２０Ａ，２０Ｂは、その中間部２１Ａ，２１Ｂが上述した切欠部１８Ａ，１８Ｂと開口４の側端縁４Ａ，４Ｂとの間の隙間を前後方向に貫通するように位置し、その結果、図２にも見られるように、該ストッパ部材２０Ａ，２０Ｂの当接部２２Ａ，２２Ｂはシャッタ部材１３のシャッタ部１５の前面側に、そして係止部２３Ａ，２３Ｂは後面側に位置するようになる。
【００３４】
上記軸部２４Ａ，２４Ｂに嵌められた捩りばね２６Ａ，２６Ｂは、上記ストッパ部材２０Ａ，２０Ｂの係止部２３Ａ，２３Ｂをシャッタ部材１５の後面に向けて付勢する。
【００３５】
かくして、上記シャッタ部材１３はその後面で上記ストッパ部材２６Ａ，２６Ｂを介して捩りばね２６Ａ，２６Ｂの付勢力を受けて上記ガイドフランジ５の後縁７に当接する。その結果、上記前面パネル３の開口４は閉状態を維持している。
【００３６】
かかるシャッタ部材１３の閉状態時には、カードＣ１の挿入方向、すなわち図１のＡ方向から前面パネル３の前面側を見たとき、図４のごとく該前面パネル３の開口４の範囲であってその幅方向両端側に上記ストッパ部材２０Ａ，２０Ｂの当接部２２Ａ，２２Ｂが位置するようになる。
【００３７】
次に、かかる本実施形態におけるカード挿入時の作動を説明する。
【００３８】
（１）規定幅のカードの挿入時
図１のごとくの規定幅ｄ１のカードＣ１を挿入しようとした場合には、図４にも見られるごとく、この規定幅ｄ１のカードＣ１に見合った幅を有する前面パネル３の開口４の両端部にストッパ部材２０Ａ，２０Ｂの両方の当接部２２Ａ，２２Ｂが位置しているので、カードＣ１の前端面はこの両方の当接部２２Ａ，２２Ｂを押すようになる。したがって、両方のストッパ部材２０Ａ，２０Ｂは、それぞれ上記捩りばね２６Ａ，２６Ｂの付勢力に抗して、軸部２４Ａ，２５Ａ；２４Ｂ，２５Ｂまわりに開方向へ回動して両方の係止部２３Ａ，２３Ｂがシャッタ部材１３の後面の範囲から外れて幅方向外側の係止解除の位置にくるようになる（図５参照）。その結果、シャッタ部材１３は、カードＣ１の前端面に押されて、ばね１７の力に抗して開方向、すなわち上方へ回動し、カードＣ１は、図６のごとく、上記開口４を通過し、ケース１内へ所定位置まで挿入され、コネクタと接続される。
【００３９】
（２）規定幅よりも小さいカードの挿入時
図１そして図７に見られるような、前部が規定幅ｄ１よりも小さいｄ２のカードＣ２を挿入しようとするときには、該カードＣ２の前端面は、両方のストッパ部材２０Ａ，２０Ｂの当接部２２Ａ，２２Ｂに当接できないか、あるいは一方の当接部、例えば、図７のごとく右方の当接部２２Ａにしか当接できない。このことは、少なくとも残りの他方の当接部がカードによって押圧されないことを意味している。押圧されない当接部、例えば当接部２２Ｂのストッパ部材２０Ｂは、その係止部２３Ｂが依然として係止位置にあってシャッタ部材１３の開方向への回動を阻止することとなる。さらに、本実施形態では、シャッタ部材１３の後面に突部１９Ａ，１９Ｂが設けられていて、シャッタ部材１３の閉状態では、該突部１９Ａ，１９Ｂの直上方にストッパ部材２０Ａ，２０Ｂの係止部２３Ａ，２３Ｂが位置しているので、上記規定幅以下の幅ｄ２のカードＣ２が挿入されるようにしたとき、若干でも上記シャッタ部材１３が周方向へ回動すると、上記突部１９Ａ，１９Ｂの段状をなす上面が係止部２３Ａ，２３Ｂの下縁に上方向の力を加えるように噛み合って互いにロック状態となり、シャッタ部１３はそれ以上の回動ができず、これによっても、シャッタ部材１３の開方向への回動を確実に阻止する。カードＣ２が押圧できる一方の当接部２２Ａは当初カードＣ２によって押圧されてストッパ部材２０Ａが開方向に若干回動開始するが、その直後に上記他のストッパ部材２０Ｂの噛み合いが生ずるので、この一方のストッパ部材２０Ａも、他方のストッパ部材２０Ｂと共に係止位置に残るのである。
【００４０】
本実施形態によると、以上のごとく、規定幅以下の幅をもつカードの挿入は確実に阻止される。なお、規定幅以上のカードは、両方の当接部を押すことはできるが、開口以上の幅をもっているので、もともと挿入は不可である。
【００４１】
本実施形態では、係止部２３Ａ，２３Ｂと突部１９Ａ，１９Ｂとロック状態を得るために、図８に見られるように段状をなす上記突部１９Ａ，１９Ｂの上面を傾斜面として係止部２３Ａ，２３Ｂに上向きの力を大きく与える構造としてもよいし、図９に見られるように、シャッタ部材１３の後面側に凹部２９を形成し、この凹部２９内に係止部２３Ａ，２３Ｂを収めてもよい。この場合、ロック状態は上記凹部２９の下方内面２９Ａと係止部２３Ａ，２３Ｂの下縁との間で得られる。
【００４２】
＜第二実施形態＞
第一実施形態では、シャッタ部材の回動軸線とストッパ部材の回動軸体が互いに直角な方向をなしていたが、本実施形態では、図１０のごとく、両方の回動軸線が互いに平行で開口に対して対向する位置にある。
【００４３】
図１０はシャッタ部材１３が閉位置そして図１１は開位置における状態を示しているが、シャッタ部材１３そしてストッパ部材３０Ａ，３０Ｂを回動自在に支持する部材の図示は省略されている。
【００４４】
シャッタ部材１３は第一実施形態のものとほぼ同じであるが、後面に設けられた突部１９Ａ，１９Ｂの上面には溝部１９Ａ１，１９Ｂ１を形成すると好適である。該溝部１９Ａ１，１９Ｂ１にはストッパ部材２０Ａ，２０Ｂの係止部２３Ａ，２３Ｂの下縁が進入している。
【００４５】
一方、シャッタ部材３０Ａ，３０Ｂは、Ｕ字状の溝型部３１Ａ，３１Ｂを有する形をなし、その開口縁から両側方へ翼状に延出する部分が設けられて、内方へ延びる部分が係止部３２Ａ，３２Ｂを形成し、外方へ延びる部が開方向への回動時における姿勢を安定させる補助部３３Ａ，３３Ｂを形成している。
【００４６】
上記溝型部３１Ａ，３１Ｂの外面（図１０では紙面の背面側）は、シャッタ部材１３の切欠部１８Ａ，１８Ｂを通してシャッタ部材１３の前面側へ突出していて当接部を形成している。
【００４７】
上記溝型部３１Ａ，３１Ｂの開口縁下端には、上記シャッタ部材１３の軸部１４の軸線と平行な方向に延びる軸部３４Ａ，３５Ａ；３４Ｂ，３５Ｂが設けられている。該軸部３４Ａ，３５Ａ；３４Ｂ，３５Ｂは回動自在に支持される。軸部３４Ａ，３４Ｂにはストッパ部材３０Ａ，３０Ｂを閉方向へ付勢する捩りばね３６Ａ，３６Ｂが組み込まれている。
【００４８】
図１０において閉位置にあるシャッタ部材１３の後面へ上記ばね３６Ａ，３６Ｂにより付勢されているストッパ部材３０Ａ，３０Ｂの係止部３２Ａ，３２Ｂの下縁には、上記突部１９Ａ，１９Ｂの上面に形成された溝部１９Ａ１，１９Ｂ１が対応して設けられている。
【００４９】
本実施形態では、規定幅のカードＣ１が挿入されると、両方のストッパ部材３０Ａ，３０Ｂの当接部（溝型部３１Ａ，３１Ｂの外面）がカードＣ１の前端面により押されて、上記ばね３６Ａ，３６Ｂの付勢力に抗して、上記軸部３４Ａ，３４Ｂまわりに開方向へ回動する（図１１参照）。開位置では、上記ストッパ３０Ａ，３０Ｂはそれらの係止部３２Ａ，３２Ｂそして補助部３３Ａ，３３Ｂは筐体の水平面と接面し、その姿勢を安定化させる。カードは水平となった上記当接部の面上を滑動し、かつシャッタ部材１３を上方へ回動させて開口を通過してケースへもたらされる。
【００５０】
本実施形態において、規定幅ｄ１以下の幅ｄ２のカードＣ２が挿入されようとされた際、両方のストッパ部材３０Ａ，３０Ｂの当接部のうち、少なくとも一方の当接部がカードＣ２により押されないことは、前実施形態の場合と同じである。例えば、ストッパ部材３０Ａの当接部がカードにより押されないと、その係止部３２Ｂはシャッタ部材１３の後面に係止した状態にあり、シャッタ部材がカードに押されてわずかに回動するに従ってストッパ部材３０Ｂも回動するが、互いの回動軸が対向する位置にあるので、該軸方向から見ると干渉が増加して係止部３２Ｂは溝部１９Ｂ１の前側壁に係合するか、該係止部３２Ｂの下縁がシャッタ部材１３の突部１９Ｂの溝部１９Ｂ１の上縁に係合することとなる。したがって、図１２のごとく、上記係止部３２Ｂの下縁と上記溝部１９Ｂ１とは互いにロック状態となり、シャッタ部材１３の開方向への回動をしっかりと阻止する。尚、好適な実施形態として突部１９Ａ，１９Ｂに溝部を設けたが、この溝部を設けずともシャッタ部材１３が回動した際に、係止部２３Ａ，２３Ｂの回動方向を規制する位置にあれば、ストッパとしての機能を果す。同様に係止部２３Ａ，２３Ｂは閉位置において必ずしも溝部に収められている必要はない。
【００５１】
＜第三実施形態＞
前出の第一及び第二実施形態では、シャッタ部材そしてストッパ部材は、装置の前面パネルにより回動自在に支持されていたが、図１３に示す本実施形態では、これら両部材はケースに直接取りつけられる支持部材４０Ａ、４０Ｂにより支持されている。図１３のシャッタ部材１３そしてストッパ部材２０Ａ，２０Ｂ自体は図１の第一実施形態のものとそれぞれ同じである。
【００５２】
支持部材４０Ａ，４０Ｂは、金属板を切断・屈曲成形して作られている。両方の支持部材４０Ａ，４０Ｂは、ケース１の開口側縁１Ａに取りつけるべく、互いに開口４の幅方向で対称に作られており、板状の基部４１Ａ，４１Ｂから上下縁で前方に延びる第一脚４２Ａ，４３Ａ；４２Ｂ，４３Ｂと、これに対してケースの板厚部分だけずれて同方向に延びる第二脚４４Ａ，４４Ｂとを有している。上記第一脚４２Ａ，４３Ａ；４２Ｂ，４３Ｂと第二脚４４Ａ，４４Ｂとの間でケースの開口側縁を挟持して、上記支持部材４０Ａ，４０Ｂはケース１に取りつけられる。
【００５３】
上記支持部材４０Ａ，４０Ｂは、それらの右上部には軸支部４５Ａ，４５Ｂを有し、上記シャッタ部材１３の軸部１４の両端を回動自在にそれぞれ支持している。上記支持部材４０Ａ，４０Ｂ右端側には水平フランジ部４６Ａ，４６Ｂが上下に設けられ、これらによってストッパ部材２０Ａ，２０Ｂの軸部２４Ａ，２４Ｂ；２５Ａ，２５Ｂが回動自在に支持されている。
【００５４】
したがって、本実施形態によると、上記支持部材４０Ａ，４０Ｂへ上記シャッタ部材１３とストッパ部材２０Ａ，２０Ｂをその関連部材と共に組み立てて一つのセットとして完成させておき、このセットを上記ケース１へ取付けるようにでき、予めの組立て作業により現場での作業を簡単化できる。
【００５５】
本発明は、既述した第一ないし第三の実施形態において、次のような変形を加えることも可能である。
【００５６】
先ず、ストッパ部材２０Ａ，２０Ｂ，３０Ａ，３０Ｂの当接部２２Ａ，２２Ｂ，３１Ａ，３１Ｂはシャッタ部材１３の前面側へ突出して形成されているが、これに限られるものではなく、シャッタ部材の回動が規定幅以下の幅のカードの挿入を妨げる位置で規制されるならば後面側に位置していてもよい。
【００５７】
次に、各種の捩りばねによる付勢は、シャッタ部材の閉位置に向けて常に付勢していなくともよい。閉位置が自然状態であって開位置に向けて回動させた際に付勢力を発生させてもよい。シャッタ部材は金属材から形成してもよく、板材から形成する場合には、付勢部材としてのバネ片を一体的に形成することもできる。
【図面の簡単な説明】
【００５８】
【図１】本発明の第一実施形態装置のカード挿入前における概要構成部材を分離状態で示す斜視図である。
【図２】図１装置の組立状態をカード挿入前で示す平面図である。
【図３】図２装置の側面図である。
【図４】図２装置の正面図である。
【図５】図１装置へ規定幅のカード挿入時で示す平面図である。
【図６】図１装置へ規定幅のカード挿入時で示す側面図である。
【図７】図１装置へ規定幅以下の幅のカードに対して示す平面図である。
【図８】図１装置の変形装置へ規定幅以下の幅のカードに対して示す側方から見た断面図である。
【図９】第一実施形態装置における変形例を示す断面図である。
【図１０】第二実施形態装置をシャッタ部材の閉状態で示す斜視図である。
【図１１】図１０装置をシャッタ部材の開状態で示す斜視図である。
【図１２】図１０装置をシャッタ部材とストッパ部材のロック状態で示す斜視図である。
【図１３】第三実施形態装置をシャッタ部材の閉状態で示す斜視図である。
【符号の説明】
【００５９】
４  開口                        ２６Ａ，２６Ｂ  付勢部材
１３  シャッタ部材              ２９  凹部
１８Ａ，１８Ｂ  切欠部          ３０Ａ，３０Ｂ  ストッパ部材
１９Ａ，１９Ｂ  突部            ３１Ａ，３１Ｂ  当接部
１９Ａ１，１９Ｂ１  溝部        ３２Ａ，３２Ｂ  係止部            
２０Ａ，２０Ｂ  ストッパ部材    ３６Ａ，３６Ｂ  付勢部材    
２１Ａ，２１Ｂ  中間部          Ｃ１  カード          
２２Ａ，２２Ｂ  当接部          ｄ１  規定幅            
２３Ａ，２３Ｂ  係止部          
【図１】
2006066310.tif 000003
【図２】
2006066310.tif 000004
【図３】
2006066310.tif 000005
【図４】
2006066310.tif 000006
【図５】
2006066310.tif 000007
【図６】
2006066310.tif 000008
【図７】
2006066310.tif 000009
【図８】
2006066310.tif 000010
【図９】
2006066310.tif 000011
【図１０】
2006066310.tif 000012
【図１１】
2006066310.tif 000013
【図１２】
2006066310.tif 000014
【図１３】
2006066310.tif 000015